【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】
高分子樹脂を含浸され、製品とするべく機械的にプレスされかつ切断されたセルロースシートを具備し、前記製品の表面が、エッジ輪郭をもつ周縁領域と内部領域とを設けられ、前記エッジ輪郭が前記内部領域より低くなるように前記周縁領域がレリーフ加工されている、ラミネートされた材料。
【請求項２】
前記エッジ輪郭が前記内部領域より１mm未満の高さだけ低くなっている、請求項１に記載のラミネートされた材料。
【請求項３】
前記表面が多角形である、請求項１に記載のラミネートされた材料。
【請求項４】
前記表面が長方形である、請求項１に記載のラミネートされた材料。
【請求項５】
前記表面が正方形である、請求項１に記載のラミネートされた材料。
【請求項６】
前記表面が別の物品を模倣する視覚的パターンをもつセルロースシートから形成されている、請求項１に記載のラミネートされた材料。
【請求項７】
前記表面が視覚的パターンに従って変化する表面テクスチャを機械的に形成されている、請求項１に記載のラミネートされた材料。
【請求項８】
前記表面が視覚的に木を表している、請求項１に記載のラミネートされた材料。
【請求項９】
前記表面が視覚的にセラミックを表している、請求項１に記載のラミネートされた材料。
【請求項１０】
前記表面が視覚的に石を表している、請求項１に記載のラミネートされた材料。
【請求項１１】
前記製品がボードである、請求項１に記載のラミネートされた材料。
【請求項１２】
前記製品が床である、請求項１に記載のラミネートされた材料。
【請求項１３】
前記製品が壁パネルである、請求項１に記載のラミネートされた材料。
【請求項１４】
前記製品がさらに、前記エッジ輪郭から下方の縁部まで延在する側壁を具備する、請求項１に記載のラミネートされた材料。
【請求項１５】
前記縁部がプレス機械加工により形成される、請求項１４に記載のラミネートされた材料。
【請求項１６】
前記縁部が別のラミネートされた材料の製品と連結される、請求項１５に記載のラミネートされた材料。
【請求項１７】
高分子樹脂を含浸され、製品を形成するべくプレスされかつ切断されたセルロースシートを具備し、前記製品が、別の物品を模倣した視覚的パターンをもつ前記セルロースシートから形成された表面を具備し、前記表面が前記視覚的パターンに従って変化する表面テクスチャをもつように機械的に形成された、ラミネートされた材料。
【請求項１８】
前記表面が多角形である、請求項１７に記載のラミネートされた材料。
【請求項１９】
前記表面が長方形である、請求項１８に記載のラミネートされた材料。
【請求項２０】
前記表面が正方形である、請求項１８に記載のラミネートされた材料。
【請求項２１】
前記表面が視覚的に木を表している、請求項１７に記載のラミネートされた材料。
【請求項２２】
前記表面が視覚的にセラミックを表している、請求項１７に記載のラミネートされた材料。
【請求項２３】
前記表面が視覚的に石を表している、請求項１７に記載のラミネートされた材料。
【請求項２４】
前記製品がボードである、請求項１７に記載のラミネートされた材料。
【請求項２５】
前記製品が床である、請求項２４に記載のラミネートされた材料。
【請求項２６】
前記製品が壁パネルである、請求項１７に記載のラミネートされた材料。
【請求項２７】
前記製品がさらに、前記エッジ輪郭から下方の縁部まで延在する側壁を具備する、請求項１７に記載のラミネートされた材料。
【請求項２８】
前記縁部がプレス機械加工により形成される、請求項２７に記載のラミネートされた材料。
【請求項２９】
前記縁部が別のラミネートされた材料の製品と連結される、請求項２７に記載のラミネートされた材料。
【請求項３０】
前記表面が、エッジ輪郭をもつ周縁領域と内部領域とを設けられ、前記エッジ輪郭が前記内部領域より低くなるように前記周縁領域がレリーフ加工されている、請求項１７に記載のラミネートされた材料。  
【請求項３１】
前記エッジ輪郭が前記内部領域より１mm未満の高さだけ低くなっている、請求項３０に記載のラミネートされた材料。
【請求項３２】
前記表面テクスチャが窪んだ形状を含む、請求項１７に記載のラミネートされた材料。
【請求項３３】
前記表面テクスチャが突出した形状を含む、請求項１７に記載のラミネートされた材料。
【請求項３４】
前記表面テクスチャが表面の粗さを含む、請求項１７に記載のラミネート材料。
【請求項３５】
高分子含浸シートを具備し、前記高分子含浸シートが視覚的パターンをもち、前記高分子含浸シートが前記視覚的パターンを写すようにエンボス加工されている、ラミネートされた材料。
【請求項３６】
前記視覚的パターンが表面テクスチャをもつ建築製品を表す、請求項３５に記載のラミネートされた材料。
【請求項３７】
前記エンボス加工が前記視覚的パターンと一致することにより、前記建築製品の表面テクスチャに対応する表面テクスチャを形成する、請求項３６に記載のラミネートされた材料。
【請求項３８】
前記建築製品が木である、請求項３７に記載のラミネートされた材料。
【請求項３９】
前記建築製品がセラミックである、請求項３７に記載のラミネートされた材料。
【請求項４０】
前記建築製品が石である、請求項３７に記載のラミネートされた材料。
【請求項４１】
前記エンボス加工がプレス機械加工により行われる、請求項３７に記載のラミネートされた材料。
【請求項４２】
前記表面が、エッジ輪郭をもつ周縁領域と内部領域とを設けられ、前記エッジ輪郭が前記内部領域より低くなるように前記周縁領域がレリーフ加工されている、請求項３７に記載のラミネートされた材料。
【請求項４３】
前記エッジ輪郭が前記内部領域より１mm未満の高さだけ低くなっている、請求項４２に記載のラミネートされた材料。
【請求項４４】
前記表面テクスチャが窪んだ形状を含む、請求項３７に記載のラミネートされた材料。
【請求項４５】
前記表面テクスチャが突出した形状を含む、請求項３７に記載のラミネートされた材料。
【請求項４６】
前記表面テクスチャが表面の粗さを含む、請求項３７に記載のラミネート材料。
【請求項４７】
床用のラミネートされた材料であって、高分子含浸シートを具備し、前記高分子含浸シートが視覚的パターンをもち、前記ラミネートされた材料が前記視覚的パターンに対応するテクスチャ−レリーフをもつ表面を具備し、前記視覚的パターンに対応する前記テクスチャ−レリーフが自然物の視覚及び触覚を呈する床用のラミネートされた材料。
【請求項４８】
前記自然物がセラミックを含む、請求項４７に記載のラミネートされた材料。
【請求項４９】
前記自然物が木を含む、請求項４７に記載のラミネートされた材料。
【手続補正２】
【補正対象書類名】明細書
【補正対象項目名】０００６
【補正方法】変更
【補正の内容】
【０００６】
そこで、本発明の目的は、この問題を克服するため、多角形、通常長方形又は正方形の製品（タイル、細長片、ボード等）がその周辺で低くなっているようにすること、すなわち、エッジの高さがそれ以外の表面より１ｍｍの数十分の１低くすることである。これによって、ユーザがたとえばタイルを踏みつける時に靴底がタイルの周辺のエッジに乗らないため、タイルの周辺のエッジと靴底は接触しない。同様に、他のいかなるものとも接触しないため、周辺エッジでの摩擦や摩耗も回避される。